(57)【要約】【課題】  設置が容易で、しかも、耐久性に優れ、より優れた美観を有する配管カバー部材の端末取付具を提供する。【解決手段】  端末取付具１１を合成樹脂により一体成形するとともに、配管カバーの端末外周面に嵌着される略環状の嵌着部１４と、この嵌着部１４の縁部から延びるほぼ逆Ｕ字形の当接部１５とにより構成する。嵌着部１４は、配管カバーの端末を弾性的に把持する状態で配管カバーの端末に嵌着される。当接部１５を、嵌着部１４の頂辺から上方に延びる当接片１８と、嵌着部１４の両側縁から配管カバーの延長方向に延びる一対の可倒片１９とにより構成する。嵌着部１４の内側面上には、配管カバーの端末内縁部に係合する第１係止部２０及び第２係止部２１をそれぞれ設ける。【選択図】      図１
2006207735.tif 000002
【特許請求の範囲】
【請求項１】
空調機器に接続される配管を覆う配管カバーの端末と、同空調機器の筐体との間に取り付けられる配管カバーの端末取付具であって、
前記配管カバーの端末外周面に嵌着される嵌着部と、この嵌着部の縁部から延びるとともに前記筐体に押し当てられて撓む当接部とを備え、
前記嵌着部の内側面上には、前記配管カバーの端末に対して同配管の延長方向に係合する係止部を設けたことを特徴とする配管カバーの端末取付具。
【請求項２】
前記当接部は、前記嵌着部の縁部から前記配管の延長方向に延びるとともに同延長方向に直交する方向まで撓む可倒片を有することを特徴とする請求項１に記載の配管カバーの端末取付具。
【請求項３】
前記当接部の肉厚を前記嵌着部の肉厚よりも薄くしたことを特徴とする請求項１又は請求項２に記載の配管カバーの端末取付具。
【発明の詳細な説明】
【技術分野】
【０００１】
この発明は、例えば家庭用空調機の室外機と室内機との間に延長配置される冷媒用配管、ドレーン用配管等の配管を覆うための配管カバーの端末と、室内機の筐体との間の配管接続部分に取り付けられる配管カバーの端末取付具に関するものである。
【背景技術】
【０００２】
一般に、住宅家屋等において家庭用空調機を設置する場合には、家屋の壁部の外側に室外機を配置するとともに壁部の内側に室内機を取り付け、可撓性を有する冷媒用配管により室外機と室内機との間を連結している。冷媒用配管は、家屋の壁部に形成した貫通孔に挿通されるとともに壁部の外壁面に沿って延長配置される。また、室内機から延びるドレーン用配管は、両冷媒用配管に沿うように延長配置されている。
【０００３】
この場合、特許文献１に開示されるように、冷媒用配管やドレーン用配管等の配管を保護するため、あるいは家屋外観や景観を向上させるために、壁部の外壁面に配管カバーが取り付けられている。そして、この配管カバーにより、前記各配管の外壁面に沿った延長部分や、壁部の貫通孔及びその貫通孔に対する各配管の挿通部分が覆われるようになっている。また、壁部の貫通孔から離れた位置に室内機を設置した場合には、壁部の内壁面においても配管が延長配置される。このような場合には、壁部の内壁面にも配管カバーが取り付けられる。室内に延長配置された配管は、室内機の筐体に設けられた配管取り込み口から室内機に接続される。配管取り込み口は、通常、室内機の筐体の下面左端又は右端、若しくは、筐体の左側面下部又は右側面下部に開口される。
【０００４】
従来、図６（ａ）に示すように、壁部の内壁面に取り付けられた配管カバー５０の端末は、室内機５１の筐体５２の配管取り込み口５３が設けられた部分の外部形状に合わせて施工時に切断加工されていた。そして、この切断された配管カバー５０の端末を室内機５１の筐体５２の外面に押し当てることで、配管カバー５０の端末と筐体５２との間で配管５４が外部に露出しないようにされていた。しかしながら、この場合には、施工時に作業者が配管カバー５０の切断作業を行わなければならず、その作業がめんどうであった。
【０００５】
一方、図６（ｂ），（ｃ）に示すように、配管カバー５０の端末と室内機５１の筐体５２との間の配管接続部分に取り付けられる専用の端末取付具５５も存在する。この端末取付具５５は、全体が柔軟なエラストマーにより全体がほぼ同じ肉厚に形成され、コ字形の第１部分５６と、この第１部分５６の縁部から延びる第２部分５７とを備えている。第２部分５７は、第１部分５６の頂辺から延びる中央部５７ａと、第１部分５６の両側部から延びる一対の側部５７ｂとからなる。そして、第１部分５６が配管カバー５０の端末外周面に対し両面テープによって貼着され、第２部分５７の中央部５７ａ及び両側部５７ｂが室内機５１の筐体５２の外側面に対し両面テープによって貼着されることにより、端末取付具５０が配管カバー５０の端末と室内機５１の筐体５２との間に取り付けられる。例えば、図６（ｂ）に示すように、筐体５２の左側面下部に設けられた配管取り込み口５３を通じて配管５４が室内機５１に接続される場合には、両側部５７ｂの一方が図６（ｃ）に二点鎖線で示す開いた位置に配置されるとともに他方が実線で示す位置に配置された状態で端末取付具５５が配管カバー５０の端末と筐体５２との間に取り付けられる。また、図６（ｂ）に二点鎖線で示すように、筐体５２の下面に設けられた配管取り込み口５３を通じて配管５４が室内機５１に接続される場合には、両側部５７ｂが二点鎖線で示す開いた位置に配置された状態で端末取付具５５が取り付けられる。
【特許文献１】特開２００２−１３９１９２号公報
【発明の開示】
【発明が解決しようとする課題】
【０００６】
図６（ｂ），（ｃ）に示す従来の端末取付具５５は、配管カバー５０の端末外周面と、室内機５１の筐体５２の外面とに対してそれぞれあてがって両面テープによって貼着されるようになっているため、位置決めが難しく取り付けが容易でなかった。また、長期間に亘る使用期間中に両面テープが剥がれて端末取付具５５が配管カバー５０の端末又は室内機５１の筐体５２から離れてしまうことがあった。従って、このような場合には、美観上問題があり、室内での使用に適していなかった。
【０００７】
この発明は、このような従来の技術に存在する問題点に着目してなされたものである。その目的は、取り付けが容易で、しかも、耐久性に優れ、より優れた美観を有する配管カバー部材の端末取付具を提供することにある。
【課題を解決するための手段】
【０００８】
上記の目的を達成するために、請求項１に記載の発明は、空調機器に接続される配管を覆う配管カバーの端末と、同空調機器の筐体との間に取り付けられる配管カバーの端末取付具であって、前記配管カバーの端末外周面に嵌着される嵌着部と、この嵌着部の縁部から延びるとともに前記筐体に押し当てられて撓む当接部とを備え、前記嵌着部の内側面上には、前記配管カバーの端末に対して同配管の延長方向に係合する係止部を設けたことを特徴とする。
【０００９】
請求項２に記載の発明は、請求項１に記載の発明において、前記当接部は、前記嵌着部の縁部から前記配管の延長方向に延びるとともに同延長方向に直交する方向まで撓む可倒片を有することを特徴とする。
【００１０】
請求項３に記載の発明は、請求項１又は請求項２に記載の発明において、前記当接部の肉厚を前記嵌着部の肉厚よりも薄くしたことを特徴とする。
（作用）
請求項１〜請求項３に記載の発明によれば、空調機器と配管カバーとの間の配管接続部分において、配管カバーの端末外周面に端末取付具の嵌着部を嵌着させると、端末取付具が配管カバーの端末に支持される。このとき、嵌着部の係止部が配管カバーの端末に対して配管の延長方向に係合し、配管カバーの端末に対して端末取付具を位置決めするとともに配管カバー側への端末取付具の相対移動を規制する。そして、嵌着部の縁部から延びる当接部が空調機器の筐体に当接して撓んだ状態で筐体に押し付けられる。この結果、端末取付具は、配管カバーの端末と空調機器の筐体との間に取り付けられ、配管カバーの端末と筐体との間の隙間を覆い隠す。従って、端末取付具を配管カバーの端末に支持させるとともに位置決めすることができるので、その取り付けが容易となる。しかも、両面テープを用いないので、長期間に亘る使用においても端末取付具が配管カバーの端末や空調機器の筐体から離れることがない。ゆえに、美観がより優れる。
【発明の効果】
【００１１】
以上のように、この発明によれば、取り付けが容易で、しかも、耐久性に優れ、より優れた美観を有する配管カバー部材の端末取付具を提供することができる。
【発明を実施するための最良の形態】
【００１２】
次に、本発明を具体化した一実施形態を図１〜図５に従って説明する。
図２及び図３は、住宅家屋等の室内において壁部の内壁面に設置された家庭用空調機の室内機（空調機器）１の一部を示し、この室内機１の筐体２の左側面下部に設けられた配管取り込み口３を介して、室内における壁部の内壁面に延長配置された冷媒用配管、ドレーン用配管等の配管４が同室内機１に接続されている。配管４は、壁部の内壁面に固定された周知の配管カバー１０によって覆われている。配管カバー１０と室内機１との間には、配管カバー１０の端末と室内機１の筐体２との間の配管接続部分を覆う端末取付具１１が取り付けられている。一方、配管４は、壁部に設けられた図示しない貫通孔を通じて室外に延長され、その他端は図示しない室外機に接続されている。
【００１３】
図３に示すように、配管カバー１０は、壁部の内壁面に固定される取付部１２と、この取付部１２に対して止着される覆い体１３とから構成されている。取付部１２は、断面ほぼ扁平Ｕ字形をなすように形成され、その両側壁１２ａの外面には、長手方向へ延びる係止溝１２ｂがそれぞれ形成されている。覆い体１３は、断面ほぼ逆Ｕ字形の長尺状をなすように形成され、その両側部１３ａの内面には、長手方向へ延びる係合突条１３ｂがそれぞれ形成されている。そして、この配管カバー１０を設置するには、まず、取付部１２を壁部の内壁面に固定する。次に、この取付部１２に沿って配管４を配置した状態で、取付部１２の係止溝１２ｂに覆い体１３の係合突条１３ｂを係合させることにより覆い体１３を取付部１２に止着させる。
【００１４】
次に、前記端末取付具１１の構成を詳述する。
図１（ａ），（ｂ）に示すように、端末取付具１１は、ポリエチレン、ポリプロピレン等のポリオレフィン系合成樹脂や、エチレン酢酸ビニル共重合体により、配管カバー１０の外周面形状に応じた環状に一体成形されている。端末取付具１１は、配管カバー１０の端末に嵌着される環状の嵌着部１４と、この嵌着部１４の縁部から延びるほぼ逆Ｕ字形の当接部１５とから構成されている。嵌着部１４は、平板状の底部１６と、この底部１６の上に設けられたほぼ逆Ｕ字形の覆い部１７とから構成されている。底部１６は、例えば１．０ｍｍの厚さに形成され、覆い部１７は、例えば２．０〜２．５ｍｍの厚さに形成されている。そして、嵌着部１４は、環状であることと肉厚であることにより、配管カバー１０の端末外周面に同端末を弾性的に把持する状態で嵌着されるようになっている。
【００１５】
前記当接部１５は、嵌着部１４の頂辺から上方に延びる当接片１８と、嵌着部１４の縁部から配管４の延長方向にそれぞれ延びる一対の可倒片１９とから構成されている。当接片１８及び両可倒片１９は、共に例えば０．５ｍｍの厚さで形成されている。すなわち、当接片１８及び両可倒片１９の肉厚は嵌着部１４の肉厚よりも薄くされ、当接片１８及び両可倒片１９が撓みやすくなっている。なお、当接片１８及び両可倒片１９を、基端側から先端側に近づくほど薄くなるようにしてもよい。
【００１６】
また、図１（ａ），（ｂ）に示すように、端末取付具１１の両側内面上には第１係止部２０がそれぞれ一体形成されるとともに、両側上部から頂辺に亘って第２係止部２１が一体形成されている。両係止部２０，２１は、立ち上がり部２０ａ，２１ａと、この立ち上がり部２０ａ，２１ａの先端の突条部２０ｂ，２１ｂとよりなる。第１係止部２０の高さｈ１は、第２係止部２１の高さｈ２のほぼ２倍とされている。そして、図２及び図４に示すように、配管カバー１０の端末外周面に端末取付具１１の嵌着部１４が嵌着されたときに、取付部１２の側壁１２ａと覆い体１３の両側部１３ａとからなる配管カバー１０の二重の部分の縁部に第１係止部２０の立ち上がり部２０ａが当接するとともに同二重部分の内縁部に突条部２０ｂがそれぞれ係合するようになっている。一方、覆い体１３のみからなる配管カバー１０の頂辺から両側上部に亘る部分の縁部には、第２係止部２１の立ち上がり部２１ａが当接するとともに同部分の内縁部に突条部２１ｂが係合するようになっている。これにより、配管カバー１０の端末に対し、配管４の延長方向において端末取付具１１が位置決めされるとともに配管カバー１０側への端末取付具１１の相対移動が規制されるようになっている。また、配管カバー１０の端末に対して端末取付具１１が配管４の延長方向に対する直交方向へ変位することが規制される。
【００１７】
次に、以上のように構成された端末取付具１１の作用について説明する。
図２及び図３に示すように、室内機１に対しその筐体２の左側面下部に開口する配管取り込み口３を通じて配管４を接続するときには、まず、室内機１に接続する前の配管４を端末取付具１１に挿通させる。次に、この配管４を室内機１に接続した後、端末取付具１１の当接部１５を室内機１の筐体２に押し当てた状態で、配管カバー１０の取付部１２の端末を端末取付具１１の嵌着部１４に挿入する。そして、この状態で取付部１２を壁部の内壁面に固定する。この結果、取付部１２が壁部の内壁面に固定されるとともに、この取付部１２の端末と室内機１の筐体２との間に端末取付具１１が取り付けられる。次に、配管カバー１０の覆い体１３の端末を端末取付具１１の嵌着部１４に挿入するとともに、覆い体１３の係合突条１３ｂを取付部１２の係止溝１２ｂに係合させる。この結果、覆い体１３が取付部１２に止着されるとともに、配管カバー１０の端末に端末取付具１１の嵌着部１４が嵌着される。そして、配管カバー１０の端末が嵌着部１４により弾性的に把持され、端末取付具１１が配管カバー１０の端末に支持される。
【００１８】
このとき、配管カバー１０の端末縁部に、端末取付具１１の両第１係止部２０の立ち上がり部２０ａが係合するとともに第２係止部２１の立ち上がり部２１ａが係合する。このため、配管カバー１０の端末に対し配管４の延長方向において端末取付具１１が位置決めされるとともに配管カバー１０側への端末取付具１１の相対移動が規制される。そして、端末取付具１１における両可倒片１９のうち図２及び図３で下側の可倒片１９は、室内機１の筐体２によって曲げられることがないため筐体２の下面に沿って配置される。一方、両可倒片１９のうち図２及び図３で上側の可倒片１９は、筐体２の左側面に当接してほぼ当接片１８の位置まで撓むとともに筐体２の左側面に押し付けられる。また、端末取付具１１の当接片１８は、筐体２の左側面に押し付けられる。この結果、端末取付具１１が、配管カバー１０の右端末と筐体２との間に取り付けられる。この実施形態によれば、端末取付具１１が配管カバー１０の端末に支持されるとともに位置決めされるため、その取り付けが容易となる。しかも、両面テープを用いた場合と異なり、長期間に亘る使用においても端末取付具１１が配管カバー１０の端末や室内機１の筐体２から離れることがないため、美観により優れたものとすることができる。
【００１９】
また、端末取付具１１を、配管カバー１０を壁部の内壁面に取り付けた後に、配管カバー１０の端末と室内機１の筐体２との間に取り付けることもできる。この場合には、まず、端末取付具１１の取り付け前に、図１（ａ），（ｂ）に示すように、嵌着部１４の底部１６の中央部を、二点鎖線で示すように切り除いて、底部１６を一対のひれ１６ａとする。次に、壁部の内壁面に予め設置された配管カバー１０の取付部１２と、壁部の内壁面の間に、底部１６の各ひれ１６ａを押し込むことで、端末取付具１１の嵌着部１４を配管カバー１０の端末外周面に嵌着させる。すると、配管カバー１０の端末が嵌着部１４により弾性的に把持され、端末取付具１１が配管カバー１０の端末に支持される。これにより、端末取付具１１が、配管カバー１０の端末と室内機１の筐体２との間に取り付けられる。この場合には、取り付けがより容易となる。
【００２０】
また、端末取付具１１から底部１６全体を切り離して端末取付具１１全体を「コ」字形にし、この端末取付具１１を配管カバー１０の端末に取り付けることもできる。この場合、端末取付具１１は、底部１６によっては配管カバー１０の端末に係止されなくなる。しかし、両第１係止部２０の突条部２０ｂが配管カバー１０の端末内縁部にそれぞれ係合していることにより、端末取付具１１が配管カバー１０の端末から外れることが防止される。
【００２１】
また、図５（ａ）に示すように、室内機１の筐体２に対し、その右側面下部に開口する配管取り込み口３を通じて配管４が接続されるときには、上記と同様に、両可倒片１９のうちの一方が室内機１の筐体２の下面に沿って配置され、両可倒片１９の他方が筐体２の右側面に当接して撓むとともに筐体２の右側面に押し付けられる。また、端末取付具１１の当接片１８は、筐体２の右側面に押し付けられる。
【００２２】
また、図５（ｂ）に示すように、室内機１の筐体２に対し、その下面中央よりに開口する配管取り込み口３を通じて配管４が接続されるときには、配管カバー１０の端末に装着した端末取付具１１の両可倒片１９が室内機１の筐体２の下面に当接してそれぞれ当接片１８の位置まで撓むとともに筐体２の下面に押し付けられる。また、端末取付具１１の当接片１８は、筐体２の下面に押し付けられる。
【００２３】
（変形例）
なお、この実施形態は、次のように変更して具体化することも可能である。
・  当接部１５を、嵌着部１４の一方の縁部から配管４の延長方向に延びる可倒片１９と、他方の縁部から側方に延びる当接片と、嵌着部１４の頂辺から側方に延びる当接片１８とから構成する。そして、例えば図２に示すように室内機１の筐体２の左側面に端末取付具１１を取り付けるときに、この当接片が図２で上側となるように配置する。すなわち、この当接片は、当接片１８と同様、筐体２に押し付けられる。なお、この場合、可倒片１９が嵌着部１４の片側にしかないことから、端末取付具１１として、室内機１の筐体２の左側面取り付け用と、右側面取り付け用とが必要になる。
【００２４】
・  第１係止部２０（第２係止部２１）に突条部２０ｂ（２１ｂ）を設けず、立ち上がり部２０ａ（２０ｂ）のみの構成としてもよい。但し、この場合には、端末取付具１１を、底部１６を切り離さない状態で配管カバー１０の端末に取り付ける必要がある。
【００２５】
・  端末取付具１１を、合成ゴム又は熱可塑性エラストマーを用いて形成してもよい。熱可塑性エラストマーとしては、例えばスチレン系熱可塑性エラストマーであるラバロン（商標名、三菱化学（株）製。）を用いる。
【００２６】
また、端末取付具１１を、アクリロニトリル・ブタジエン・スチレン（ＡＢＳ）等の共重合樹脂を用いて形成してもよい。
【図面の簡単な説明】
【００２７】
【図１】（ａ），（ｂ）は共に一実施形態の端末取付具を示す斜視図。
【図２】端末取付具の使用状態を示す正面図。
【図３】同じく斜視図。
【図４】端末取付具を示す正面図。
【図５】（ａ），（ｂ）は共に端末取付具の使用状態を示す正面図。
【図６】（ａ）は従来の配管カバーと室内機の筐体との間の配管接続部分を示す正面図、（ｂ）は従来の端末取付具の使用状態を示す正面図、（ｃ）は端末取付具を示す斜視図。
【符号の説明】
【００２８】
１…空調機器としての室内機、２…筐体、４…配管、１０…配管カバー、１１…端末取付具、１４…嵌着部、１５…当接部、１８…当接部を構成する当接片、１９…同じく可倒片、２０…係止部としての第１係止部、２１…同じく第２係止部。
【図１】
2006207735.tif 000003
【図２】
2006207735.tif 000004
【図３】
2006207735.tif 000005
【図４】
2006207735.tif 000006
【図５】
2006207735.tif 000007
【図６】
2006207735.tif 000008